(57)【要約】【課題】コンセントタップに電気機器等の電源ケーブルの余長を巻きつけることを可能にする。【解決手段】プラグ７の端子刃８を差込むコンセント差込口３を含む部分が，回転可能にタップ本体４に取付けられ，この回転可能部分３を折畳むことができるようにし，また，電源コード９を巻きつけることができるようタップ本体４の側面に凹部を設けたことを特徴とするコンセントタップ１。【選択図】 図１
2009170147.tif 000002
【特許請求の範囲】
【請求項１】
他のプラグの端子刃を差込むコンセント差込口を含む部分を回転可能にタップ本体に取付け，前記タップ本体の側面の全周又は一部に凹部を設けたことを特徴とするコンセントタップ。
【請求項２】
前記タップ本体の端子刃を含む部分を回転可能にしたことを特徴とする請求項１のコンセントタップ。
【請求項３】
他のプラグの端子刃を差込むコンセント差込口を含む部分を回転可能にコンセント本体に取付け，コンセント本体の壁から表側に突き出た部分の側面の全周又は一部に凹部を設けたことを特徴とする壁埋込型コンセント。
【発明の詳細な説明】
【技術分野】
【０００１】
本発明は，コンセント（タップ）に電気機器等の電源ケーブルの余長を巻き付けることを可能にするものである。
【背景技術】
【０００２】
これまで，電気機器の電源ケーブルについては，電気機器の内部に電源ケーブルを巻き取る機構があるものについては，その機構を利用して余長を収納していた。しかし，そのような機構を有する機器は限定されており，一般には余長を束ねて結わえておくことで処置している。
【０００３】
このような処置では，束ねることにより熱の放散性が悪くなり，極端な場合には，結わえた部分が加熱し火災に至る事例も報告されている。
【０００４】
また，束ねて結わえておく処置は，見栄えもよくなく，無駄な場所を取るなどの問題も生じていた。
【発明の開示】
【発明が解決しようとする課題】
【０００５】
そのため，コンセント（タップ）に電源ケーブルを巻きつけるようにできれば，見栄えもよく，無駄な場所も取らず，また，火災の心配もなくなる。本発明は、かかる課題を解決するものであり、既存のコンセントに取付けるコンセントタップおよび壁埋込型コンセントの構造を提案するものである。
【課題を解決するための手段】
【０００６】
つまり，請求項１に係る発明は，電気機器の電源コードのプラグの端子刃を差込むコンセント差込口を含む部分を，回転可能なようにタップ本体に取付け，この回転可能部分を折り畳むことができるようにし，また，前記電気機器の電源コードを巻き付けることができるようタップ本体の側面の全周又は一部に凹部（窪み）を設けたことを特徴とするコンセントタップである。
【０００７】
請求項２に係る発明は，請求項１のコンセントタップで，前記タップ本体の端子刃を含む部分を回転可能にしたことを特徴とするものである。
【０００８】
更に，請求項３に係る発明は，壁への埋込型のコンセントであり，他のプラグの端子刃を差込むコンセント差込口を含む部分を回転可能にコンセント本体に取付け，折り畳み可能とし，コンセント本体の壁から表側に突き出た部分の側面の全周又は一部に凹部を設け，電源コードを巻きつけることをできるようにしたことを特徴とするものである。
【発明の効果】
【０００９】
本発明の実施により，コンセント（タップ）に電源ケーブルを巻きつけるようにでき，見栄えもよく，無駄な場所も取らず，また，過熱による火災の心配もなくなる。
【発明を実施するための最良の形態】
【００１０】
以下、本発明の実施の形態を、図面に基づき説明する。
（実施例１）
【００１１】
図１に示すように，コンセントタップ１には，他のプラグ７（例えば，電気機器の電源コードのプラグ）の端子刃８を差込むコンセント差込口３を含む回転可能部分２が取付けられている。回転可能部分２は，図１に示すように折畳んでタップ本体４と接するようにでき（実線の場合），また，引起こして他のプラグ７の端子刃８をコンセント差込口３に差込み易くすることもできる（点線の場合）。タップ本体４の回転可能部分２の反対側には，自己の端子刃５を取付ける。ここから電力を取り込み，タップ本体４および回転可能部分２の内部に通した電線を介して，コンセント差込口３まで電力を通電することができる。タップ本体４の側面部分には，他の電源コード９を巻付ける凹部６ａ，６ｂを設ける。この凹部６は，側面部分の全周に設けてもよいし，図１に示すように両端にのみ設けてもよい。全周に凹部６を設けた場合は，電源コード９を凹部６に巻き付け収めるという状態になるが，両端にのみに凹部６を設けた場合は，電源コード９を凹部６に引っ掛けて巻き付けるという状態になる。タップ本体４は，図１に示すように，電源コード９を巻付けるため，縦長に構成するのが有利である。
【００１２】
図２は，回転可能部分２がタップ本体４に接するように折畳まれた状態で，電源コード９をタップ本体４に巻取る方法を説明するものである。他のプラグ７の端子刃８をコンセント差込口３に差込み，電源コード９をタップ本体４の縁に設けた窪み１０でタップ本体４の側面に設けた凹部６（図２には図示しない）に案内し，凹部６に巻き付ける。
【００１３】
この端子刃５の向きは，図３（ａ）に示す配置でもよいし，図３（ｂ）に示すように図３（ａ）を９０度ずらした配置のものでもよい。また，図４に示すように，端子刃５を含む部分１１を９０度回転可能に構成することで，端子刃の配置を，図３（ａ）又は（ｂ）のどちらでも実現できる。
【００１４】
また，壁埋込型コンセントは，図６（ａ）に示すように，プラグの端子刃の差込口が上下２段になっている場合が多いが，この上下段の間隔が狭く，本願発明に係るコンセントタップ１を取付けた場合，巻き取る電源コードが上下段で相互に接触し，巻き取り切れないおそれがある。それを回避するため，図５（ａ）のようにタップ本体４の底面のほぼ中央に端子刃５を取付けることをせずに，図５（ｂ）のようにタップ本体４の底面の隅に取付けることにする。すると，図６（ｂ）に示すように，上下段の差込口に取付けたコンセントタップ１の垂直間隔は広がり，電源コードの巻き取り時に接触することがなくなる。
（実施例２）
【００１５】
図７に示すコンセント１３は，壁１４に埋込まれたコンセントである。基本的な構成は，実施例１と同様である。つまり，回転可能部分２，タップ本体４と凹部６ａ，６ｂなどからなり，壁の内部に敷設される電源線１５からキャップタイ１６を介して電力を供給する。電源コード９をコンセント１３に巻き取るには，他のプラグ７が差込まれた回転可能部分２をタップ本体４に接するように折り畳み，電源コード９を窪み１０で凹部６に案内し，凹部６に巻き付けるものである。なお，図７はコンセント１３を縦置きとしているが，横置きでもかまわない。
【図面の簡単な説明】
【００１６】
【図１】コンセントタップの側面図。
【図２】コンセントタップの平面図（折り畳んだ状態）。
【図３】コンセントタップの端子刃の配置。
【図４】９０度回転可能なコンセントタップの端子刃を含む部分。
【図５】コンセントタップの端子刃の偏心配置の説明図。
【図６】従来からの上下２段式壁埋込型コンセントおよびそれへのコンセントタップの取付図。
【図７】壁埋込型コンセントの側面図。
【図１】
2009170147.tif 000003
【図２】
2009170147.tif 000004
【図３】
2009170147.tif 000005
【図４】
2009170147.tif 000006
【図５】
2009170147.tif 000007
【図６】
2009170147.tif 000008
【図７】
2009170147.tif 000009